(57)【要約】【課題】  簡単、容易に施工できる耐火断熱用カバーを提供する。【解決手段】  鋼柱１を外周から覆って設置される断熱材２を、外周から周方向にわたって覆い、その端辺部３１同士の連結部３２において連結固定されるカバー部材３を備え、  前記カバー部材３に、前記カバー部材３を鋼柱１に取り付けた状態での横断平面視で、外側に膨出する膨出部３３を設け、前記膨出部３３を前記カバー部材３における鋼柱１の軸心方向に沿って形成し、  前記連結部３２を前記膨出部３３側方に設けるとともに、前記連結部３２をビスまたはリベット５を介して連結固定可能に形成してある。【選択図】        図２
2005090119.tif 000002
【特許請求の範囲】
【請求項１】
鋼柱の外側を覆って設置される断熱材を、その外周から周方向にわたって覆い、その端辺部同士の連結部において連結固定されるカバー部材を備えた耐火断熱用カバーであって、  前記カバー部材に、前記カバー部材を鋼柱に取り付けた状態での横断平面視で、外側に膨出する膨出部を設け、前記膨出部を前記カバー部材における鋼柱の軸心方向に沿って形成し、
前記連結部を前記膨出部側方に設けるとともに、前記連結部をビスまたはリベットを介して連結固定可能に形成してある耐火断熱用カバー。
【請求項２】
設置状態の前記断熱材を前記カバー部材で前記外周から周方向にわたって覆ったときに、前記膨出部を重ねあわせて連結可能に、前記連結部を形成してある請求項１記載の耐火断熱用カバー。
【請求項３】
鋼柱の外側を覆って設置される断熱材を、その外周から周方向にわたって覆い、その端辺部同士の連結部において連結固定されるカバー部材を備えた耐火断熱用カバーであって、
前記カバー部材に、前記カバー部材を鋼柱に取り付けた状態での横断平面視で、外側に膨出する膨出部を設け、前記膨出部を前記カバー部材における鋼柱の軸心方向に沿って形成し、
設置状態の前記断熱材を前記カバー部材で前記外周から周方向にわたって覆ったときに、前記膨出部を重ねあわせて連結可能に、前記連結部を前記膨出部に設けるとともに、前記連結部をビスまたはリベットを介して連結固定可能に形成してある耐火断熱用カバー。
【発明の詳細な説明】
【技術分野】
【０００１】
本発明は、鋼柱の外側を覆って設置される断熱材を、その外周から周方向にわたって覆い、その端辺部同士の連結部において連結固定されるカバー部材を備えた耐火断熱用カバーに関する。
【０００２】
尚、ガス管その他の管を支持する鋼柱は、消防法等により耐火基準が設定されており、その鋼柱に断熱材を覆って設けることが必要になる場合がある。この際、断熱材としては、ケイ酸カルシウム等の断熱ボードが汎用されているが、このような断熱材を露出させておくと、対衝撃強度に乏しい、耐水性に乏しい等の理由で耐久性に問題が生じやすいと考えられるため、その断熱材の外周側から周方向にわたって鉄板等からなるカバー部材で覆って施工されるものである。
【背景技術】
【０００３】
このような耐火断熱用カバーは、通常、扁平な鉄板からなるカバー部材を前記断熱材の配設形態に合わせた形状に屈曲形成して、その端辺部同士の連結部において「はぜがけ」して連結固定する。この際、鉄板の屈曲、はぜがけ連結等の加工作業は、前記鋼柱の断熱施工される現場で種々工作装置を用いて行われている（先行技術を文献として挙げることができない）。
【発明の開示】
【発明が解決しようとする課題】
【０００４】
しかし、このような前記カバー部材の加工作業を現場で行うには、作業現場が狭所である場合が多いために、非常に作業性が低く、上述の種々工作装置を運搬して現場で使用するには、前記工作装置が特殊で大型であることが多いために、多くの労力を要する等の問題があって、簡単、容易に施工できるようにすることが望まれている。
【０００５】
本発明は上記実状に鑑み、簡単、容易に施工できる耐火断熱用カバーを提供する点にある。
【課題を解決するための手段】
【０００６】
そこで、前記連結部をビスまたはリベットで固定すると、前記カバー部材を簡単容易に固定可能なように思われるが、このような作業を種々工作装置によらず簡単な工具による手作業で行おうとすると、前記カバー部材は、通常前記鋼柱に沿って長尺となるために、前記カバー部材の長手方向における一端部と他端部との間にねじれ、たわみ等の形状変形が生じやすく工作装置が不要になるものの、前記カバー部材を施工位置に沿わせる等の工程に多大な労力を要し、逆に作業性が低下するという問題があって現実的ではないものとして、旧来検討されていなかった。
しかし、本発明者らが、この点に着目して検討した結果、前記カバー部材の変形を効果的に解消することを可能として、簡単、容易に施工できる耐火断熱用カバーを提供できることを見出した。
【０００７】
すなわち、本発明の耐火断熱用カバーの第１の特徴構成は、鋼柱の外側を覆って設置される断熱材を、その外周から周方向にわたって覆い、その端辺部同士の連結部において連結固定されるカバー部材を備えた耐火断熱用カバーであって、
前記カバー部材に、前記カバー部材を鋼柱に取り付けた状態での横断平面視で、外側に膨出する膨出部を設け、前記膨出部を前記カバー部材における鋼柱の軸心方向に沿って形成し、
前記連結部を前記膨出部側方に設けるとともに、前記連結部をビスまたはリベットを介して連結固定可能に形成してある点にある。
【０００８】
つまり、上記カバー部材は、前記カバー部材における鋼柱の軸心方向に沿って前記膨出部を形成してあるから、前記膨出部が前記カバー部材に対してリブとして働き、たわみ変形等に抗する補強となり、前記カバー部材には、ねじれ、たわみ等の変形を生じにくくなる。また、前記連結部を前記膨出部側方に設けることにより、前記連結部に対しても変形力が伝達されにくく、前記連結部近傍が位置あわせ困難に変形してしまうような不都合が起きにくい。そのため、作業性良く連結部同士を位置あわせして連結作業を行える。これにより、前記連結部をビスまたはリベットを介して連結固定するという簡単容易な現場作業で耐火断熱用カバーの施工が実用的になった。
【０００９】
本発明の耐火断熱用カバーの第２の特徴構成は、設置状態の前記断熱材を前記カバー部材で前記外周から周方向にわたって覆ったときに、前記膨出部を重ねあわせて連結可能に、前記連結部を形成してある点にある。
【００１０】
つまり、上述の耐火断熱用カバーは、施工時に前記カバー部材端辺部近傍の前記膨出部を重ね合わせながら連結固定作業を順次行えることになるから、前記膨出部を位置あわせしろとして用い、簡単に正確な位置あわせができる。また、前記膨出部同士を重ね合わせると、前記端辺部同士の間の隙間が前記鋼柱の周方向から前記鋼柱の径方向に屈曲させられることになり、前記カバー部材の端辺部間に進入した水分等が鋼柱や断熱材にまで達しにくい形状となり、前記鋼柱や断熱材の耐久性を高く維持することができる。
【００１１】
本発明の耐火断熱用カバーの第３の特徴構成は、鋼柱の外側を覆って設置される断熱材を、その外周から周方向にわたって覆い、その端辺部同士の連結部において連結固定されるカバー部材を備えた耐火断熱用カバーであって、
前記カバー部材に、前記カバー部材を鋼柱に取り付けた状態での横断平面視で、外側に膨出する膨出部を設け、前記膨出部を前記カバー部材における鋼柱の軸心方向に沿って形成し、
設置状態の前記断熱材を前記カバー部材で前記外周から周方向にわたって覆ったときに、前記膨出部を重ねあわせて連結可能に、前記連結部を前記膨出部に設けるとともに、前記連結部をビスまたはリベットを介して連結固定可能に形成してある点にある。
【００１２】
すなわち、前記第２の特徴構成においては、前記膨出部を位置あわせに用いることができる構成を示したが、このような構成において、前記連結部を膨出部そのものに設ける点を特徴とする。このような構成によると、カバー部材の変形を防止して作業性良く維持しながら、より一層位置あわせ容易に形成することができるとともに、前記膨出部にビスまたはリベットを設けることにより、そのビスまたはリベットが前記断熱材に接当しにくい形状となる。そのため、前記ビスまたはリベットの取付作業時に、前記断熱材が傷ついて断熱効率化低下したり、耐水性が低下したりする不都合を防止することができる。
【発明を実施するための最良の形態】
【００１３】
以下、本発明の実施の形態を図面に基づいて説明する。
図１に示すように、本発明の耐火断熱用カバーは、鋼柱１の外側を覆って設置される断熱材２，２，………を、その外周から周方向にわたって覆い、その端辺部３１同士の連結部３２において連結固定されるカバー部材３を備える。
【００１４】
前記鋼柱１は、図１に示すように、コンクリート、モルタル等により成型された基部１１にＨ型鋼１２を立設して複数並設され、上部に種々の配管４を支持する構造とする。図２に示すように、前記断熱材２，………は、前記鋼柱１の周部に横断面視方形になるように、かつ、前記断熱材２同士の隙間が無いよう配設する。前記鋼柱１周りに配設された断熱材２は金属ワイヤー２２を用いて位置固定してある。
【００１５】
前記カバー部材３は、前記カバー部材３を鋼柱１に取り付けた状態での横断平面視で、外側に膨出し、前記カバー部材３における鋼柱１の軸心方向に沿って形成される膨出部３３を、所定間隔で複数併設してある。
また、前記連結部３２は、前記膨出部３３側方に設けてある。前記連結部３２は、ビスまたはリベット５を介して連結固定する。
【００１６】
この際、設置状態の前記断熱材２，………を前記カバー部材３で前記外周から周方向にわたって覆ったときに、前記膨出部３３同士を重ねあわせて連結可能に、前記連結部３２を形成してある。
【００１７】
また、図３に示すように、前記鋼柱１の頂部近傍には雨よけ笠部６を溶接等により設けて、鋼柱１の上端面側からの雨水、熱の浸入を防止する構成としてある。
【実施例１】
【００１８】
上述の実施の形態において、図４、図５に示すように、前記鋼柱１が約、一辺２００ｍｍのＨ型鋼１２の場合、ガイド部材２１を沿わせて横断平面視方形に厚さ２５ｍｍのケイ酸カルシウム製断熱材２を設け、厚さ２ｍｍの鉄板を屈曲形成させてあるカバー部材３を、その外周側から被覆させるように取り付ける。前記カバー部材３は前記鋼柱１の周方向で２分割に形成してあり、前記カバー部材３には前記鋼柱１の軸心方向に沿う高さ約１０ｍｍ、幅約１５ｍｍの膨出部３３を、約８０ｍｍ間隔で並設してある。また、前記カバー部材３の端辺部３１近傍の膨出部３３同士は互いに重ね合わせて配設可能に寸法調節してある。重ね合わせられた前記膨出部３３の側方には、それぞれ連結部３２としてのビス孔を設けてあり、前記膨出部３３を重ね合わせた状態で、そのビス孔同士が連通状態に配置されるように形成してある。連通したビス孔に対して連結用のビス５を螺入させると、前記カバー部材３は前記断熱材２を覆った状態で一体に連結される。連結後、前記カバー部材３の重なり部分には、コーキング材７を塗布して、内部への水分の浸入を防止してある。
尚、ビスに代えてリベットを用いて連結することもできる。
【実施例２】
【００１９】
上述の実施例においては、前記カバー部材３の端辺部３１同士を膨出部３３どうしが重なるように配置したが、図６に示すように、扁平な端辺部３１に対して膨出部３３を有する端辺部３１を重ね合わせて連結する構成としてあっても良い。所定寸法間隔で膨出部３３を形成してある鉄板を切り出して前記カバー部材３を屈曲形成する際に、前記鋼柱１や断熱材２の寸法によっては、一方側の端辺部３１で膨出部３３同士を重ね合わせると、他方側の端辺部３１で膨出部３３同士の間隔が中途半端になって、重ね合わせることができなくなってしまうような場合がある。このような場合上記構成によると、適宜端辺部３１同士を連結することができ、しかも、連結部３２のいずれも膨出部３３近傍の側方に設けることができ、形状安定させることもできることになる。
【実施例３】
【００２０】
また、上述の実施例においては、前記カバー部材３を２分割に形成してあったが、図７に示すように、カバー部材３を３つ以上に分割して構成することもできる。このような場合、たとえば、鋼柱１の面部１ａをカバーする面カバー部材３ａと、鋼柱１の辺部１ｂをカバーする辺カバー部材３ｂとから構成すると、鋼柱１の太さによらず前記辺カバー部材３ｂを汎用することができ、また、鋼柱１の太さごとに面カバー部材３ａを形成するとしても、その面カバー部材３ａの膨出部３３位置を端辺部３１から所定寸法に形成するだけで良いなど、規格化できるので、施工箇所毎に対応したカバー部材３を容易に提供できるようになる。
また、膨出部３３は、少なくとも前記カバー部材３の端辺部３１の近傍で前記連結部３２を形成する側方にあれば良く、前記カバー部材３を連結する際に、前記カバー部材３の変形で前記連結部３２の位置あわせが困難にならないように膨出させてあればよい。また、膨出部３３の形状は図１〜７中では方形としてあるが、円弧状や三角状であってもよく、また、これらに限られるものでもない。
【実施例４】
【００２１】
図８に示すように、前記連結部３２を前記膨出部３３に設けてあっても良い。このような場合、前記断熱材２と前記カバー部材３との間にリベット５の固定部が介装されも前記断熱材２と接触しにくく、また、ビス止めして前記連結部３２内方側にビスが進入したとしても前記断熱材２に達さず、前記断熱材２を傷つけにくい構成とすることができる。
【産業上の利用可能性】
【００２２】
簡単容易に施工できる耐火断熱用カバーを提供することができ、作業性良く鋼柱の耐火構造を施工できる。
【図面の簡単な説明】
【００２３】
【図１】鋼柱の施工例を示す概略図
【図２】鋼柱の断熱構造を示す分解斜視図
【図３】鋼柱の断熱構造を示す上部縦断側面図
【図４】鋼柱の断熱構造を示す横断平面図
【図５】鋼柱の断熱構造を示す横断分解平面図
【図６】実施例２に示す鋼柱の断熱構造の要部横断平面図
【図７】実施例３に示す鋼柱の断熱構造の横断平面図
【図８】実施例４に示す鋼柱の断熱構造の要部横断平面図
【符号の説明】
【００２４】
１    鋼柱
１１  基部
１２  Ｈ型鋼
２    断熱材
２２  金属ワイヤー
３    カバー部材
３１  端辺部
３２  連結部
３３  膨出部
４    配管
５    ビスまたはリベット
【図１】
2005090119.tif 000003
【図２】
2005090119.tif 000004
【図３】
2005090119.tif 000005
【図４】
2005090119.tif 000006
【図５】
2005090119.tif 000007
【図６】
2005090119.tif 000008
【図７】
2005090119.tif 000009
【図８】
2005090119.tif 000010